(57)【特許請求の範囲】
【請求項１】
商品選択ボタン装置に設けた複数の選択ボタンのそれぞれに主制御部の記憶領域に設けたデータの格納場所であるアドレスを割り付ける一方、前記複数の選択ボタンに割り付けたアドレスを示すアドレスナンバーを前記商品選択ボタン装置に配布し、前記アドレスに格納されたデータにより選択ボタンの入出力を管理する自動販売機において、
選択ボタンの数および配置と所定の取り決めとにしたがい、前記複数の選択ボタンのそれぞれに各選択ボタンの識別番号であるシリアルナンバーを付す一方、
各選択ボタンにアドレスを割り付けるに際して、選択ボタンの数および配置と所定の取り決めとにしたがい、押下された１つの選択ボタンのシリアルナンバーから商品選択ボタン装置のすべての選択ボタンのシリアルナンバーを特定し、各選択ボタンのシリアルナンバーに関連付けて各選択ボタンにアドレスを割り付け、
前記アドレスナンバーは、各選択ボタンのシリアルナンバーに関連付けて前記商品選択ボタン装置に配布されることを特徴とする自動販売機。
【請求項２】
前記商品選択ボタン装置に設けたボタン制御部の記憶領域に複数の選択ボタンのそれぞれに付したシリアルナンバーが記憶してあり、
各選択ボタンにアドレスを割り付けるに際して、１つの選択ボタンが押下された場合に前記商品選択ボタン装置のボタン制御部が、押下された１つの選択ボタンのシリアルナンバーを前記主制御部に送信することを特徴とする請求項１に記載の自動販売機。
【請求項３】
前記商品選択ボタン装置に設けたボタン制御部の記憶領域に選択ボタンの数および配置が記憶してあり、
各選択ボタンにアドレスを割り付けるに際して、１つの選択ボタンが押下された場合に前記商品選択ボタン装置のボタン制御部が、選択ボタンの数および配置を前記主制御部に送信することを特徴とする請求項１または２に記載の自動販売機。
【請求項４】
前記所定の取り決めは、左側あるいは右側のいずれか一方に配置した選択ボタンから反対側に配置した選択ボタンに向けて０から順番に大きくなる連続番号とすることを特徴とする請求項１〜３のいずれか一つに記載の自動販売機。
【発明の詳細な説明】
【技術分野】
【０００１】
本発明は、自動販売機に関するもので、特に、商品を選択する選択ボタンを主制御部の記憶領域に設けたアドレスに割り付ける一方、選択ボタンに割り付けたアドレスを示すアドレスナンバーを商品選択ボタン装置に配布する自動販売機に関する。
【背景技術】
【０００２】
左右方向に複数の選択ボタンを備えた商品選択ボタン装置が広く知られている。商品選択ボタン装置には、選択ボタンを４つ備えたもの、５つ備えたもの、６つ備えたものがあり、自動販売機が販売する商品のアイテム数に合わせて選択され、自動販売機の前面に設置される。このように、自動販売機の前面に設置された商品選択ボタン装置は、自動販売機の運用を開始する前にすべての選択ボタンを制御部の記憶領域に設けたアドレスに割り付ける一方、選択ボタンに割り付けたアドレスを示すアドレスナンバーを商品選択ボタン装置に配布する必要がある。
【０００３】
ところで、選択ボタンの割り付けとアドレスナンバーの配布には、選択ボタンにシリアルナンバーを付し、このシリアルナンバーを用いて選択ボタンを制御部の記憶領域に設けたアドレスに割り付ける一方、選択ボタンに割り付けたアドレスを示すアドレスナンバーを選択ボタンのシリアルナンバーと関連付けて商品選択ボタンに配布する自動販売機が提案されている。このように、選択ボタンのシリアルナンバーを用いて選択ボタンを制御部の記憶領域に設けたアドレスに割り付け、選択ボタンに割り付けたアドレスを示すアドレスナンバーを選択ボタンのシリアルナンバーと関連付けて商品選択ボタン装置に配布する自動販売機では、図１０に示すように、選択ボタンを一つずつ押すことにより、商品選択ボタン装置から制御部にシリアルナンバー登録を要求する一方、制御部から商品選択ボタン装置にアドレスナンバーを配布する必要があった（たとえば、特許文献１参照）。
【先行技術文献】
【特許文献】
【０００４】
【特許文献１】特開平３−２１８５９４号公報
【発明の概要】
【発明が解決しようとする課題】
【０００５】
しかしながら、選択ボタンを一つずつ押すことにより、商品選択ボタン装置から制御部にシリアルナンバー登録を要求する一方、制御部から商品選択ボタン装置にアドレスナンバーを配布するのでは、すべての選択ボタンを順番に押さなければならないので、多大な作業と多大な時間が必要となり、効率的ではない。また、選択ボタンの押し忘れにより、選択ボタンの割り付けとアドレスナンバーの配布に漏れが生じることもある。
【０００６】
本発明は、上記に鑑みてなされたものであって、すべての選択ボタンを押さなくても、すべての選択ボタンを主制御部の記憶領域に設けたアドレスに割り付ける一方、選択ボタンに割り付けたアドレスを示すアドレスナンバーを商品選択ボタン装置に配布する自動販売機を提供することを目的とする。
【課題を解決するための手段】
【０００７】
上述した課題を解決し、目的を達成するために、本発明は、商品選択ボタン装置に設けた複数の選択ボタンのそれぞれに主制御部の記憶領域に設けたデータの格納場所であるアドレスを割り付ける一方、前記複数の選択ボタンに割り付けたアドレスを示すアドレスナンバーを前記商品選択ボタン装置に配布し、前記アドレスに格納されたデータにより選択ボタンの入出力を管理する自動販売機において、選択ボタンの数および配置と所定の取り決めとにしたがい、前記複数の選択ボタンのそれぞれにシリアルナンバーを付す一方、選択ボタンにアドレスを割り付けるに際して、選択ボタンの数および配置と所定の取り決めとにしたがい、押下された選択ボタンのシリアルナンバーから商品選択ボタン装置のすべての選択ボタンのシリアルナンバーを特定し、選択ボタンのシリアルナンバーに関連付けて選択ボタンにアドレスを割り付けることを特徴とする。
【０００８】
また、本発明は、上記発明において、前記商品選択ボタン装置に設けたボタン制御部の記憶領域に複数の選択ボタンのそれぞれに付したシリアルナンバーが記憶してあり、選択ボタンにアドレスを割り付けるに際して、選択ボタンが押下された場合に前記商品選択ボタン装置のボタン制御部が押下された選択ボタンのシリアルナンバーを前記主制御部に送信することを特徴とする。
【０００９】
また、本発明は、上記発明において、前記商品選択ボタン装置に設けたボタン制御部の記憶領域に選択ボタンの数および配置が記憶してあり、選択ボタンにアドレスを割り付けるに際して、選択ボタンが押下された場合に前記商品選択ボタン装置のボタン制御部が選択ボタンの数および配置を前記主制御部に送信すること特徴とする。
【００１０】
また、本発明は、上記発明において、前記アドレスナンバーは、選択ボタンのシリアルナンバーに関連付けて配布することを特徴とする。
【００１１】
また、本発明は、上記発明において、前記所定の取り決めは、左側あるいは右側のいずれか一方に配置した選択ボタンから反対側に配置した選択ボタンに向けて０から順番に大きくなる連続番号とすることを特徴とする。
【発明の効果】
【００１２】
本発明にかかる自動販売機は、選択ボタンの数および配置と所定の取り決めとにしたがい、複数の選択ボタンのそれぞれにシリアルナンバーを付す一方、選択ボタンにアドレスを割り付けるに際して、選択ボタンの数および配置と所定の取り決めとにしたがい、押下された選択ボタンのシリアルナンバーから商品選択ボタン装置のすべての選択ボタンのシリアルナンバーを特定し、選択ボタンのシリアルナンバーに関連付けて選択ボタンにアドレスを割り付けるので、すべての選択ボタンを押さなくても、すべての選択ボタンをアドレスに割り付けることができ、すべての選択ボタンに割り付けたアドレスを示すアドレスナンバーを商品選択ボタン装置に配布できる。
【図面の簡単な説明】
【００１３】
【図１】図１は、本発明の実施の形態である自動販売機の外観を示す正面図である。
【図２】図２は、図１に示した自動販売機の内部構成を示す斜視図である。
【図３】図３は、図１に示した自動販売機の制御構成を示すブロック図である。
【図４】図４は、図３に示した商品選択ボタン装置の構成を示すブロック図である。
【図５】図５は、選択ボタンを主制御部に割り付けるとともに、割り付けた主制御部のアドレスをボタン制御部に登録する方法を示した説明書である。
【図６】図６は、選択ボタンを主制御部に割り付けるとともに、割り付けた主制御部のアドレスをボタン制御部に登録する方法を示したフローチャートである。
【図７】図７は、自動販売機における通信フレーム・フォーマットを示す図である。
【図８】図８は、図７に示した選択ボタンの構成を表すビット列を説明する図である。
【図９】図９は、シリアルナンバー登録請求とアドレスナンバー配布の具体例を示した図である。
【図１０】図１０は、すでに公知の自動販売機における選択ボタンのシリアルナンバーの設定方法を示したフローチャートである。
【発明を実施するための形態】
【００１４】
以下に、本発明にかかる自動販売機の実施の形態を図面に基づいて詳細に説明する。なお、この実施の形態によりこの発明が限定されるものではなない。
【００１５】
まず、図１〜図３に基づいて、本発明の実施の形態である自動販売機の構成を説明する。図１は、本発明の実施の形態である自動販売機の外観を示す正面図であり、図２は、図１に示した自動販売機の内部構成を示す斜視図である。また、図３は、図１に示した自動販売機の制御構成を示すブロック図であり、図４は、図３に示した商品選択ボタン装置の構成を示すブロック図である。
【００１６】
図１に示すように、ここで説明する自動販売機は、缶入り飲料やペットボトル入り飲料などの商品を冷やした状態または温めた状態で販売するもので、図２に示すように、本体キャビネット１と外扉２とを備えている。本体キャビネット１は、複数の鋼板を組み合わせることにより構成したもので、前面が開口した断熱構造の箱状に構成してある。外扉２は、本体キャビネット１の前面開口を閉塞するためのもので、開閉可能となる態様で、本体キャビネット１の一側縁部（左側縁部）に支承してある。
【００１７】
図１に示すように、外扉２の前面右側中程には、ポップアップハンドル２１が設けてある。ポップアップハンドル２１は、外扉２を閉塞した状態で施錠するためのもので、外扉２を閉塞した状態でポップアップハンドル２１を押し込むことにより施錠され、解錠操作するとポップアップハンドル２１がポップアップ（突出）することにより、外扉２の開放操作が可能となる。
【００１８】
また、外扉２の前面上部域には、展示室３が設けてある。展示室３は、自動販売機が販売する商品の商品見本Ｄを展示するためのものであり、外扉２の後方側に開閉可能に取り付けられた中扉４と外扉２の前面側に嵌め込んだ透明な電照板３１とにより画成され、利用者が自動販売機の前面側から展示室３の内部を視認可能である。
【００１９】
展示室３の内部には、商品を展示するためのステージ３２が上下方向に三つ並べて設置してあり、それぞれのステージ３２において商品見本Ｄが横並びに展示される。また、外扉２の前面側に嵌め込んだ透明な電照板３１には、ステージ３２と対応するように、商品選択ボタン装置６が上下方向に三つ、左右方向に二つ並べて設置してある。
【００２０】
商品選択ボタン装置６は、商品を選択するためのもので、商品見本Ｄと対応するように、複数の選択ボタン６１を備えている。商品選択ボタン装置６は、左右方向に６個の選択ボタン６１を備えたもの、５個の選択ボタン６１を備えたもの、４個の選択ボタン６１を備えたものがある。これらは、選択ボタン６１の数により、６連、５連、４連のように、呼称される。なお、８個の選択ボタン６１を備えた８連の商品選択ボタン装置も製作可能であるが、現時点では、６連の商品選択ボタン装置が最大である。
【００２１】
本実施の形態である自動販売機のように、一つのステージ３２において１０個の商品見本Ｄを展示する場合には、商品見本Ｄの数に合わせて左右方向に１０個の選択ボタン６１を配置する必要がある。この場合には、図１に示すように、５連の商品選択ボタン装置６を横並びに二つ設置してもよいし、６連の商品選択ボタン装置と４連の選択ボタン装置とを横並びに設置してもよい。
【００２２】
同様に、一つのステージ３２において１２個の商品見本Ｄを展示する場合には、商品見本の数に合わせて１２個の選択ボタン６１を配置する必要があるが、この場合には、６連の商品選択ボタン装置を横並びに二つ設置する。
【００２３】
同様に、一つのステージ３２において８個の商品見本Ｄを展示する場合には、商品見本の数に合わせて８個の選択ボタン６１を配置するする必要があるが、この場合には、４連の商品選択ボタン装置を横並びに二つ設置する。
【００２４】
このように、６連の商品選択ボタン装置、５連の商品選択ボタン装置６、４連の商品選択ボタン装置を組み合わせれば、一つのステージ３２に対して任意の数の選択ボタン６１を設置することができる。
【００２５】
図４に示すように、選択ボタン６１は、それぞれスイッチ６１１、販売ＬＥＤ６１２、売切ＬＥＤ６１３、準備中ＬＥＤ６１４を備えている。スイッチ６１１は、選択ボタン６１が押下された場合に、オフからオンに移行するものである。販売ＬＥＤ６１２は、商品の選択が可能な場合に点灯するＬＥＤであり、たとえば、商品の値段以上の貨幣が投入された場合に点灯する。売切ＬＥＤ６１３は、商品が売り切れた場合に点灯するＬＥＤであり、商品が売り切れた場合に点灯し、商品の販売ができないことを利用者に知らせるものである。準備中ＬＥＤ６１４は、販売の準備が整わない場合に点灯するＬＥＤであり、たとえば、温めた状態で販売する商品が十分に温められていない場合に点灯する。
【００２６】
また、商品選択ボタン装置６は、それぞれボタン制御部（ボタンＩＣ）６２を有している。ボタン制御部６２は、ＣＰＵ（演算部、制御部）６２１、メモリ（記憶部）６２２を備えている。
【００２７】
また、ボタン制御部６２のメモリ６２２には、選択ボタン６１に関連づけてシリアルナンバー（識別番号）が記憶してある。そして、ボタン制御部６２のＣＰＵ６２１は、シリアルナンバー登録モードにおいて、選択ボタン６１が押下されると、メモリ６２２を参照し、押下された選択ボタン６１のシリアルナンバーを特定し、後述する主制御部８（図３参照）に押下された選択ボタン６１のシリアルナンバーを送信する。
【００２８】
本実施の形態において、選択ボタン６１のシリアルナンバーは、３０ビットのデータであり、所定の取り決めにしたがって定められる。本実施の形態では、左側に配置した選択ボタン６１から右側に配置した選択ボタン６１に向けて０から順番に大きくなる連続番号となるように定めてあり、選択ボタン６１のシリアルナンバーの末尾３桁は、０００〜１１１（二進数）の連続番号となる。具体的には、配置位置が左側となる選択ボタン６１から右側に順番に、０００，００１，０１０，０１１，１００，１０１とし、１１０，１１１を欠番としている。１１０，１１１を欠番とするのは、商品選択ボタン装置６は６個の選択ボタン６１を備えた６連のものが最大であり、７個目、８個目の選択ボタンを特定する必要がないからである。なお、８個の選択ボタン６１を備えた８連の商品選択ボタン装置が製作された場合には、１１０，１１１を用いる。
【００２９】
また、メモリ６２２には、選択ボタン６１が割り付けられた主制御部８の記憶領域に設けたアドレスを示すアドレスナンバーが記憶される。主制御部８の記憶領域に設けたアドレスは、データの格納場所であり、シリアルナンバー登録モードにおいて、商品選択ボタン装置６の選択ボタン６１のシリアルナンバーと関連づけて割り付けられる。
【００３０】
そして、主制御部８から商品選択ボタン装置６にコマンド（制御命令）と制御対象となる選択ボタン６１のデータが格納されたアドレスのアドレスナンバーを送信すると、ボタン制御部６２のＣＰＵ６２１は、メモリ６２２を参照し、選択ボタン６１を特定し、コマンドを実行する。
【００３１】
また、本実施の形態では、商品選択ボタン装置６のボタン制御部６２のメモリ６２２に、選択ボタン６１の構成（数および配置）が記憶してある。選択ボタン６１の構成は、８ビットに関連付けて記憶してある。具体的には、８ビットの上位ビット（上位桁）から下位ビット（下位桁）に向けて、配置位置が左側となる選択ボタン６１から右側に順番に割り付けて記憶してある。なお、このように配置位置が左側となる選択ボタン６１から右側に順番に割り付けて記憶したが、配置位置が右側となる選択ボタン６１から左側に割り付けて記憶してもよい。
【００３２】
たとえば、６連の商品選択ボタン装置の選択ボタン６１の構成は、８ビットの上位ビットから下位ビットに向けて、６つのビットを立てることにより記憶してある。これにより、選択ボタン６１の構成は、「１１１１  １１００」（二進数）と記憶することになるが、これは「ＦＣ」（十六進数）と記憶することも可能である。
【００３３】
同様に、４連の商品選択ボタン装置の選択ボタン６１の構成は、８ビットの上位ビットから下位ビットに向けて、４つのビットを立てることにより記憶してある。これにより、選択ボタンの構成は、「１１１１  ００００」（二進数）と記憶することになるが、これは「Ｆ０」（十六進数）と記憶することも可能である。
【００３４】
また、たとえば、６連の商品選択ボタン装置において左から４番目に無効の選択ボタン６１がある場合の選択ボタン６１の構成は、上位ビットから下位ビットに向けて４番目のビットをのぞき５つのビットを立てることにより記憶してある。これにより、選択ボタンの構成は、「１１１０  １１００」（二進数）と記憶することになるが、これは、「ＥＣ」（十六進数）と記憶することも可能である。
【００３５】
なお、８個の選択ボタン６１を備えた８連の商品選択ボタン装置が製作された場合には、８ビットの上位から下位ビットに向けてすべてのビットを用いて記憶する。
【００３６】
また、展示室３の下方となる外扉２の中程には、硬貨投入口２３、紙幣挿入口２４、一体型表示器２５、返却レバー２６が設けてある。
【００３７】
硬貨投入口２３は、硬貨を受け付けるための開口であって、硬貨投入口２３から投入された硬貨は、外扉２の内側に搭載したコインメカニズム（硬貨処理装置）７１（図２参照）に収容される。コインメカニズム７１は、各種硬貨の投入枚数を整理し、主制御部８に送信する一方、主制御部８からの指令に従い、各種硬貨を払い出すものである。
【００３８】
紙幣挿入口２４は、紙幣を受け付けるための開口であって、紙幣挿入口２４から挿入された紙幣は、外扉２の内側に搭載したビルバリデータ（紙幣処理装置）７２（図２参照）に収容される。ビルバリデータ７２は、紙幣の投入枚数を整理し、主制御部８に送信する一方、主制御部８からの指令に従い、紙幣を払い出すものである。
【００３９】
一体型表示器２５は、販売中、釣り銭切れ、準備中、お札中止のほか、投入金額、各種設定時の情報等の各種情報を表示するためのもので、主制御部８からの指令に従い、各種情報をデジタルにて表示する。
【００４０】
返却レバー２６は、取引の中断を指示するためのもので、返却レバー２６が操作されると、取引が中断され、コインメカニズム７１から返却口２７に釣り銭等が放出され、ビルバリデータ７２から紙幣挿入口２４に紙幣が返却される。
【００４１】
また、外扉２の下方となる位置には、取出口２８が設けてある。取出口２８は、商品収納ラックから搬出された商品を取り出すための開口である。
【００４２】
また、外扉２の内側には、リモコン９が配設してある。リモコン９は、各種設定操作、各種売上データの確認操作をおこなうためのもので、図３に示すように、書込みキー９１や終了キー９２などの操作キーのほか、各種設定データや確認データが表示される液晶表示器９３を備えている。そして、リモコン９から設定入力された設定データは主制御部８に送信され、主制御部８から送信された確認データを受信する。
【００４３】
図３に示すように、上述した商品選択ボタン装置６、一体型表示器２５、リモコン９は、ライン８１を介して主制御部８に接続してあり、コインメカニズム７１、ビルバリデータ７２は、ライン８２を介して主制御部８に接続してある。
【００４４】
主制御部８は、商品選択ボタン装置６、一体型表示器２５、リモコン９、コインメカニズム７１、ビルバリデータ７２等の各スレーブの制御を集中管理するもので、各種設定データに基づいて各スレーブを制御するようになっている。
【００４５】
つぎに、図５〜図８に基づいて、本発明の実施の形態である自動販売機における選択ボタンのアドレス設定方法を説明する。なお、図５は、選択ボタンを主制御部のアドレスに割り付けるとともに、割り付けた主制御部のアドレスをボタン制御部に登録する方法を示した説明書であり、図６は、選択ボタンを主制御部のアドレスに割り付けるとともに、割り付けた主制御部のアドレスをボタン制御部に登録する方法を示したフローチャートである。また、図７は、自動販売機における通信フレーム・フォーマットを示す図であり、図８は、図５に示した選択ボタンの構成を表すビット列を説明する図である。また、図９は、シリアルナンバー登録請求とアドレスナンバー配布の具体例を示した図である。
【００４６】
図５に示すように、本発明の実施の形態である自動販売機において、選択ボタン６１のアドレスを設定する場合には、まず、リモコン９の書込みキー９１を２秒以上押し続ける。すると、主制御部８からの指令にて一体型表示器２５の表示が「１」で点滅するとともに、リモコン９の液晶表示器９３の表示が「１」で点滅する。この状態からさらに書込みキー９１を２秒以上押し続けると、主制御部８からの指令にて一体型表示器２５の表示が「１」で確定し、リモコン９の液晶表示器９３の表示が「１」で確定する。
【００４７】
すると、図６に示すように、主制御部８において、シリアルナンバー登録起動スイッチがオンとなり（ステップＳ１：Ｙｅｓ）、主制御部８がシリアルナンバー登録モードに設定される（ステップＳ２）。主制御部８がシリアルナンバー登録モードに設定されると、主制御部８から商品選択ボタン装置６に「シリアルナンバー登録モード設定」を送信する。商品選択ボタン装置６のボタン制御部６２が主制御部８から「シリアルナンバー登録モード設定」を受信すると（ステップＳ１０１：Ｙｅｓ）、ボタン制御部６２がシリアルナンバー登録モードに設定される（ステップＳ１０２）。
【００４８】
この状態で、選択ボタンの割り付けを希望する商品選択ボタン装置６において最も左側の選択ボタン６１が押下されると、選択ボタン６１のスイッチ６１１がオンになり（ステップＳ１０３：Ｙｅｓ）、ボタン制御部６２がシリアルナンバー登録要求処理に移行する（ステップＳ１０４）。
【００４９】
ボタン制御部６２がシリアルナンバー登録要求処理に移行すると、ボタン制御部６２から主制御部８に「シリアルナンバー登録要求」を送信する。
【００５０】
ここで、シリアルナンバー登録要求に用いられる通信フレームは、図７に示すように、ヘッダ、マスタ・アドレス・フィールド、スレーブ・アドレス・フィールド、コントロール・フィールド、電文長フィールド、データ・フィールドから構成してあり、ヘッダ、マスタ・アドレス、スレーブ・アドレス、コントロール、電文長、データが送信される。
【００５１】
本実施の形態において、マスタ・アドレスは、ボタン制御部６２の通信アドレスであり、商品選択ボタン装置６を特定するコード（二進数）が格納され、どの商品選択ボタン装置６あるかを特定するアドレスナンバーが格納される。
【００５２】
本実施の形態において、スレーブ・アドレスは、制御部の通信アドレスであり、制御部を特定するコード（二進数）が格納される。
【００５３】
本実施の形態において、データ・フィールドには、商品選択ボタン装置６の最も左側の選択ボタン６１のシリアルナンバーが格納され、商品選択ボタン装置に６の最も左側の選択ボタン６１のシリアルナンバーは、図８に示すように、末尾３桁が「０００」の３０ビットのデータで特定される。以下同様に、左から右側に向けて、末尾三桁が「００１」〜「１０１」の３０ビットのデータで特定される。
【００５４】
また、データ・フィールドの後には、商品選択ボタン装置６の選択ボタン６１の構成が格納される。商品選択ボタン装置６の選択ボタン６１の構成は、最大６連であるため、ビット５〜０で特定されるが、８連の商品選択ボタン装置を製作した場合には、ビット６，７を用いる。
【００５５】
したがって、たとえば、図９に示すように、５連の商品選択ボタン装置６の最も左側の選択ボタン６１が押下された場合には、最も左側の選択ボタンであることを示す「〜０００」のシリアルナンバーと５連の商品選択ボタン装置であることを示す「１１１１  １０００」が送信される。
【００５６】
主制御部８が商品選択ボタン装置６から「シリアルナンバー登録要求」を受信すると（ステップＳ３：Ｙｅｓ）、主制御部８は、シリアルナンバー登録要求に含まれる、最も左側の選択ボタン６１のシリアルナンバーと商品選択ボタン装置６の選択ボタン６１の構成とから、全ての選択ボタンのシリアルナンバーを取得することになる。
【００５７】
したがって、図９に示す例では、「〜０００」「〜００１」「〜０１０」「〜０１１」「〜１００」のシリアルナンバーを取得することになる。
【００５８】
すると、主制御部８は、シリアルナンバー記憶処理に移行する（ステップＳ４）。主制御部８がシリアルナンバー記憶処理に移行すると、主制御部８は、シリアルナンバー登録要求が要求された商品選択ボタン装置６のすべての選択ボタン６１のシリアルナンバーを記憶し、アドレスナンバー割付処理に移行する（ステップＳ５）。
【００５９】
主制御部８がアドレスナンバー割付処理に移行すると、選択ボタン６１のシリアルナンバーごとに主制御部８の記憶領域に設けたアドレスが割り付けられる。
【００６０】
したがって、図９に示す例では、シリアルナンバーが「〜０００」の選択ボタン６１にアドレス「Ｂ〜０００」が割り付けられ、以下同様に、シリアルナンバーが「〜００１」の選択ボタン６１にアドレス「Ｂ〜００１」、「〜０１０」の選択ボタン６１にアドレス「Ｂ〜０１０」、「〜０１１」の選択ボタン６１にアドレス「Ｂ〜０１１」、「１００」の選択ボタン６１にアドレス「Ｂ〜１００」が割り付けられる。
【００６１】
そして、主制御部８は、主制御部８において割り付けたアドレスを示すアドレスナンバーを商品選択ボタン装置６に配布（送信）する。このとき、配布するアドレスナンバーの数は、選択ボタン６１の数と同数であり、選択ボタン６１ごとに配布する。
【００６２】
商品選択ボタン装置６のボタン制御部６２がアドレスナンバーを受信すると（ステップＳ１０５：Ｙｅｓ）、商品選択ボタン装置６のボタン制御部６２は、シリアルナンバー登録設定処理に移行する（ステップＳ１０６）。商品選択ボタン装置６のボタン制御部６２がシリアルナンバー登録設定処理に移行すると、商品選択ボタン装置６のボタン制御部６２は、シリアルナンバーにアドレスナンバーを関連づけて記憶する。
【００６３】
したがって、図９に示す例では、シリアルナンバー「〜０００」にアドレス「Ｂ〜０００」、「〜００１」に「Ｂ〜００１」、「〜０１０」に「Ｂ〜０１０」、「〜０１１」に「Ｂ〜０１１」、「〜１００」に「Ｂ〜１００」を関連づけて記憶する。
【００６４】
一方、主制御部８は、アドレスナンバーを商品選択ボタン装置６に配布した後に、ＬＥＤ点灯・消灯指示処理に移行する（ステップＳ６）。主制御部８がＬＥＤ点灯・消灯指示処理に移行すると、主制御部８は商品選択ボタン装置６にＬＥＤ一斉点灯・消灯指示を送信する。
【００６５】
商品選択ボタン装置６のボタン制御部６２がＬＥＤ一斉点灯・消灯指示を受信すると（ステップＳ１０７：Ｙｅｓ）、ボタン制御部６２はＬＥＤ点灯・消灯処理に移行する（ステップＳ１０８）。ボタン制御部６２がＬＥＤ点灯・消灯処理に移行すると、ボタン制御部６２は、すべてのＬＥＤ（販売ＬＥＤ６１２，売切ＬＥＤ６１３，準備中ＬＥＤ６１４）を一旦点灯した後に、すべてのＬＥＤを消灯する。
【００６６】
そして、上述した一連の処理を繰り返し、すべての商品選択ボタン装置６について制御部の記憶領域に設けたアドレスを割り付けるとともに、商品選択ボタン装置６のボタン制御部６２にアドレスナンバーを登録した後、リモコン９の終了キー９２を押すと（ステップＳ７：Ｙｅｓ）、主制御部８から商品選択ボタン装置６にシリアルナンバー登録モード解除を送信する。
【００６７】
商品選択ボタン装置６のボタン制御部６２が主制御部８からシリアルナンバー登録モード解除を受信すると、ボタン制御部６２はシリアルナンバー登録モードを解除する（ステップＳ８）。
【００６８】
上述した本発明の実施の形態である自動販売機は、選択ボタン６１の構成（数および配置）と所定の取り決めとにしたがい、複数の選択ボタン６１のそれぞれにシリアルナンバーを付す一方、選択ボタン６１に主制御部８の記憶領域に設けたアドレスを割り付けるに際して、選択ボタン６１の構成と所定の取り決めとにしたがい、押下された選択ボタン６１のシリアルナンバーから商品選択ボタン装置６のすべての選択ボタン６１のシリアルナンバーを特定し、選択ボタン６１のシリアルナンバーに関連付けて選択ボタン６１にアドレスを割り付けるので、すべての選択ボタン６１を押さなくても、すべての選択ボタン６１にアドレスに割り付けることができ、すべての選択ボタン６１に割り付けたアドレスを示すアドレスナンバーを商品選択ボタン装置６に配布できる。
【符号の説明】
【００６９】
１    本体キャビネット
２    外扉
２５    一体型表示器
３    展示室
３１    電照板
３２    ステージ
４    中扉
６    商品選択ボタン装置
６１    選択ボタン
６１１    スイッチ
６１２    販売ＬＥＤ
６１３    売切ＬＥＤ
６１４    準備中ＬＥＤ
６２    ボタン制御部
６２１    ＣＰＵ
６２２    メモリ
７１    コインメカニズム
７２    ビルバリデータ
８    主制御部
９    リモコン
９１    書込みキー
９２    終了キー
９３    液晶表示器
Ｄ    商品見本
【図１】
0005915140.tif 000002
【図２】
0005915140.tif 000003
【図３】
0005915140.tif 000004
【図４】
0005915140.tif 000005
【図５】
0005915140.tif 000006
【図６】
0005915140.tif 000007
【図７】
0005915140.tif 000008
【図８】
0005915140.tif 000009
【図９】
0005915140.tif 000010
【図１０】
0005915140.tif 000011